(57)【要約】【解決手段】垂直帰線消去期間または水平帰線消去期間に、ディスプレイ装置にコマンドを送信するための技術を記載する。コマンドは、本来であれば色情報を送信するべく使用されるフィールドを使用して送信することができる。低電圧差動信号方式（ＬＶＤＳ）に準拠したインターフェースを用いてコマンドを送信することができる。コマンドは、フレームバッファにフレームを記憶するためのコマンド、セルフリフレッシュモードに移行するためのコマンド、およびセルフリフレッシュモードから退出するためのコマンドのいずれかを含む。【選択図】図１Ａ
2013545156.tif 000002
【特許請求の範囲】
【請求項１】
垂直帰線消去期間および水平帰線消去期間の一方において、色データおよびタイミング制御に割り当てられたフィールドを使用して規定されるコマンドを受信する段階と、
色データに割り当てられた前記フィールドの情報に部分的に基づいて、前記コマンドの実行を要求する段階と
を備える方法。
【請求項２】
前記コマンドが、フレームバッファにフレームを記憶するためのコマンドを含む請求項１に記載の方法。
【請求項３】
前記コマンドが、セルフリフレッシュモードに移行するためのコマンドを含む請求項１または２に記載の方法。
【請求項４】
前記コマンドが、セルフリフレッシュモードから退出するためのコマンドを含む請求項１から３のいずれか１項に記載の方法。
【請求項５】
前記コマンドが、スクリーンの部分的更新を実行するためのコマンドを含む請求項１から４のいずれか１項に記載の方法。
【請求項６】
前記コマンドが、スクリーンの部分的更新の実行を終了するためのコマンドを含む請求項１から５のいずれか１項に記載の方法。
【請求項７】
色データに割り当てられた前記フィールドが、液晶パネルの標準化を進める装置メーカーの団体により２００３年３月１２日に策定されたモニタ用の業界標準パネル−１５．０インチ（ＩＳＰ１５インチ）用の搭載／トップレベルインターフェース要件（第１．１版）のセクション３．１．４に規定されたフレームのフィールドを含む請求項１から６のいずれか１項に記載の方法。
【請求項８】
色データに割り当てられた前記フィールドが、４つ以上のビットを含む請求項１から７のいずれか１項に記載の方法。
【請求項９】
コマンドを受信する前記段階が、低電圧差動信号方式（ＬＶＤＳ）に準拠したインターフェースを用いてコマンドを受信する段階を有する請求項１から８のいずれか１項に記載の方法。
【請求項１０】
垂直帰線消去期間および水平帰線消去期間の一方において、色データおよびタイミング制御に割り当てられたフィールドを使用して規定されるコマンドの送信を要求するロジックを備える装置。
【請求項１１】
前記コマンドが、フレームバッファにフレームを記憶するためのコマンド、セルフリフレッシュモードに移行するためのコマンド、およびセルフリフレッシュモードから退出するためのコマンドのいずれか一つを含み、前記送信には低電圧差動信号方式（ＬＶＤＳ）に準拠したインターフェースが用いられる請求項１０に記載の装置。
【請求項１２】
前記コマンドが、スクリーンの部分的更新を実行するためのコマンドおよびスクリーンの部分的更新の実行を終了するためのコマンドの一方を含み、前記送信には低電圧差動信号方式（ＬＶＤＳ）に準拠したインターフェースが用いられる請求項１０または１１に記載の装置。
【請求項１３】
色データに割り当てられた前記フィールドが、液晶パネルの標準化を進める装置メーカーの団体により２００３年３月１２日に策定されたモニタ用の業界標準パネル−１５．０インチ（ＩＳＰ１５インチ）用の搭載／トップレベルインターフェース要件（第１．１版）のセクション３．１．４に規定されたフレームのフィールドを含む請求項１０から１２のいずれか１項に記載の装置。
【請求項１４】
少なくとも１つのアンテナと、
ディスプレイ装置と、
フレームバッファと、
ホストシステムと、
前記ディスプレイ装置と前記ホストシステムとの間のインターフェースと
を備え、
前記ホストシステムが、色データおよびタイミング制御に割り当てられたフィールドを使用して規定されるコマンドを含み、かつ、垂直帰線消去期間および水平帰線消去期間の一方において送信される通信を、前記インターフェースを用いて前記ディスプレイ装置に送信するべく生成するロジックを有する
システム。
【請求項１５】
色データに割り当てられた前記フィールドが、液晶パネルの標準化を進める装置メーカーの団体により２００３年３月１２日に策定されたモニタ用の業界標準パネル−１５．０インチ（ＩＳＰ１５インチ）用の搭載／トップレベルインターフェース要件（第１．１版）のセクション３．１．４に規定されたフレームのフィールドを含む請求項１４に記載のシステム。
【請求項１６】
色データに割り当てられた前記フィールドが、少なくとも４つのビットを含む請求項１４または１５に記載のシステム。
【請求項１７】
前記インターフェースが、少なくとも低電圧差動信号方式（ＬＶＤＳ）に準拠する請求項１４から１６のいずれか１項に記載のシステム。
【請求項１８】
前記コマンドが、フレームバッファにフレームを記憶するためのコマンド、セルフリフレッシュモードに移行するためのコマンド、およびセルフリフレッシュモードから退出するためのコマンドのいずれか一つを含む請求項１４から１７のいずれか１項に記載のシステム。
【請求項１９】
前記コマンドが、スクリーンの部分的更新を実行するためのコマンドおよびスクリーンの部分的更新の実行を終了するためのコマンドの一方を含む請求項１４から１７のいずれか１項に記載のシステム。
【請求項２０】
キーボードおよびタッチスクリーンインターフェースのうち一方をさらに備える請求項１４から１９のいずれか１項に記載のシステム。
【発明の詳細な説明】
【技術分野】
【０００１】
本明細書に開示される主題は、一般的に、ディスプレイ装置を制御する技術に関する。
【０００２】
[関連出願の相互参照]
本願は、Ｋｗａらにより発明（発明の名称「ＤｉｓｐｌａｙＰｏｒｔ規格に準拠したインターフェースのプロトコル拡張」）され、２００８年９月２９日に出願された同時係属米国特許出願第１２／２８６，１９２号（代理人包袋番号Ｐ２７５７９）に関連する。
【背景技術】
【０００３】
コンピュータシステムにおけるマルチメディア処理はごく一般的になっている。たとえば、パーソナルコンピュータは、映像を処理および表示するのにしばしば用いられる。コンピュータによる電力消費が懸念されている。パーソナルコンピュータによる電力消費が制御されることが望まれる。特に、パーソナルコンピュータに採用されるディスプレイ装置の電力消費が制御されることが望まれる。
【図面の簡単な説明】
【０００４】
図面において、本発明の実施形態を限定としてではなく例示として示し、同様な参照番号により同様な要素を示す。
【図１Ａ】実施形態に係るシステムを示す。
【図１Ｂ】実施形態に係る電力消費を制御可能なホストシステムのコンポーネントの例を示す。
【図１Ｃ】実施形態に係るディスプレイ装置のタイミングコントローラのハイレベルブロック図である。
【図２】ＬＶＤＳに準拠したインターフェースを用いて周期的に送信される信号の例を示す。
【発明を実施するための形態】
【０００５】
本明細書の全体を通して、「一実施形態」もしくは「ある実施形態」と言及する場合、当該実施形態に関連して記載される特定の特性、構造、もしくは特性が、本発明の少なくとも一つの実施形態に含まれることが意図される。したがって、本明細書の各所に現れる「一実施形態では」もしくは「ある実施形態」等の文言は、必ずしも全てが同一の実施形態を示すのではない。さらに、特定の特性、構造、もしくは特性は、一つ以上の実施形態において組み合わせてよい。
【０００６】
図１Ａは、実施形態に係るシステム１００を示す。システム１００は、ホストシステム１０２等のソース装置と、ターゲット装置１５０とを備えてよい。ホストシステム１０２は、１つ以上のコアを含むプロセッサ１１０、ホストメモリ１１２、ストレージ１１４、およびグラフィックスサブシステム１１５を有してよい。チップセット１０５によって、ホストシステム１０２の各装置を通信可能に接続してよい。グラフィックスサブシステム１１５は、映像および／または音声を処理してよい。システム１００は、ハンドヘルドパーソナルコンピュータ、移動体電話、セットトップボックス、または任意のコンピューティング装置に実装してよい。キーパッド、マウス、タッチスクリーン、および／または運動センサ等の任意の種類のユーザインターフェースを利用可能である。
【０００７】
多様な実施形態において、プロセッサ１１０は、（１）ターゲット装置１５０に、画像を取得し、取得した画像を繰り返し表示するよう命令するか、（２）グラフィックスサブシステム１１５のコンポーネントの電力を落とすか、および／または、（３）ターゲット装置１５０のコンポーネントの電力を落とすか、を決定するドライバ（不図示）を実行してよい。ドライバは、少なくとも、システムタイマー期間の変化、三角形もしくは多角形のレンダリング、いずれかのプロセッサコアが低電力モードにないこと、なんらかんのマウス操作、垂直帰線消去割り込みが用いられているか、および／または、オーバレイがイネーブルされているかに基づいて、動作（１）、（２）、または（３）を開始するかを決定してよい。たとえば、コンポーネントの電力を落とすには、電圧レギュレータを最小動作電圧レベルに落としてよい。コンポーネントの電力を落とすには、コンポーネントの電力消費を低下させてよい。たとえば、プロセッサ１１０がマイクロソフトウィンドウズ（登録商標）に準拠したオペレーティングシステムを実行する場合、ドライバはカーネルモードドライバであってよい。
【０００８】
たとえば、ホストシステム１０２は、インターフェース１４５を用いてコマンドをターゲット装置１５０に送信してよい。インターフェース１４５は、ＡＮＳＩ／ＴＩＡ／ＥＩＡ−６４４に規定された低電圧差動信号方式（ＬＶＤＳ）に準拠したものであってよい。インターフェース１４５を介して送信される信号のフォーマットは、液晶パネルの標準化を進める装置メーカーの団体（ＰＳＷＧ）により２００３年３月１２日に策定されたモニタ用の業界標準パネル（ＩＳＰ）−１５．０インチ（ＩＳＰ１５インチ）用の搭載／トップレベルインターフェース要件（第１．１版）のセクション３．１．４に規定されたフォーマットとすることができるが、その他の規格およびフォーマットを用いることもできる。インターフェース１４５を介して送信されるコマンドの例を、以下の表に関連付けて記載する。
【０００９】
いくつかの実施形態では、インターフェース１４５は、Ｍａｉｎ  ＬｉｎｋおよびＡＵＸチャネルを含んでよく、これらは両方とも、ベサ（ＶＥＳＡ）が策定したＤｉｓｐｌａｙＰｏｒｔ規格の第１版および改定第１ａ版（２００８年）ならびにこれらの改訂版および変更版に規定されている。多様な実施形態において、ホストシステム１０２（たとえば、グラフィックスサブシステム１１５）は、少なくとも、２００８年９月２９日に出願された同時係属米国特許出願第１２／２８６，１９２号（発明の名称：「ＤｉｓｐｌａｙＰｏｒｔ規格に準拠したインターフェースのプロトコル拡張」 、発明者：Ｋｗａら、代理人包袋番号：Ｐ２７５７９）に記載された方法にしたがって、ターゲット装置１５０に対する通信をフォーマットおよび送信してよい。
【００１０】
ターゲット装置１５０は、映像コンテンツを表示し、音声コンテンツをレンダリングする機能を有するディスプレイ装置であってよい。たとえば、ターゲット装置１５０は、画素の書き込みを制御するタイミングコントローラ（ＴＣＯＮ）、ターゲット装置１５０の動作を指示するレジスタ等の制御ロジックを有してよい。ターゲット装置１５０は、表示するフレームを読み出すメモリもしくはフレームバッファにアクセスを有してよい。
【００１１】
図１Ｂは、実施形態に係る電力消費を制御（たとえば、電力消費を増減）可能なホストシステム１０２のコンポーネントの例を示す。コンポーネントは、チップセット、プロセッサ、またはグラフィックスサブシステムに設けられたものであってよい。たとえば、ホスト１０２のディスプレイ位相ロックループ（ＰＬＬ）１６０、ディスプレイプレーン１６２、ディスプレイパイプ１６４、およびディスプレイインターフェース１６６の電力を増減させることができる。ＰＬＬ１６０は、ディスプレイプレーン１６２、ディスプレイパイプ１６４、および／またはディスプレイインターフェース１６６のシステムクロックであってよい。たとえば、ディスプレイプレーン１６２は、データバッファと、バッファのデータをＲＧＢに変換するＲＧＢカラーマッピング装置を含んでよい。ディスプレイプレーン１６２は、同じく電力管理可能な対応付けられたメモリコントローラおよびメモリ入出力（ＩＯ）（不図示）を含んでよい。パイプ１６４は、複数層の画像を合成画像にするブレンディング装置、Ｘ・Ｙ座標ラスタライザ、およびインターフェースプロトコルパケット化装置を含んでよい。インターフェースプロトコルパケット化装置は、少なくとも、ＡＮＳＩ／ＴＩＡ／ＥＩＡ−６４４−Ａ（２００１年）から入手可能なＤｉｓｐｌａｙＰｏｒｔ規格または低電圧差動信号方式（ＬＶＤＳ）規格、およびこれらの変更版に準拠したものであってよい。ディスプレイインターフェース１６６は、ＤｉｓｐｌａｙＰｏｒｔ規格またはＬＶＤＳ規格に準拠したインターフェースであってよく、並列入力直列出力（ＰＩＳＯ）インターフェースであってよい。
【００１２】
図１Ｃは、実施形態に係るディスプレイ装置のタイミングコントローラのハイレベルブロック図である。タイミングコントローラ（ＴＣＯＮ）１８０は、ホスト装置からの命令に応答して、コンポーネントの電力を落とすこと、および／または、画像を取得して、取得した画等をディスプレイに繰り返し出力すること、を含みうるセルフリフレッシュモードに移行する機能を有する。信号ＳＲＤ＿ＯＮがアクティブになったことに応答して、ＳＲＤ制御ブロックは、フレームバッファを起動してフレームを取得し、マルチプレクサ（ＭＵＸ）を制御して、取得したフレームを出力ポートに転送する。信号ＳＲＤ＿ＯＮが非アクティブになった後、ＳＲＤ制御ブロックは、フレームバッファおよび関連するロジックを停止し、ＭＵＸに入力ポート（ＬＶＤＳ  ＲＸ）からの入力映像を出力ポートに転送させる（内部信号伝達（ｍｉｎｉ−ＬＶＤＳ））。タイミングコントローラ１８０は、セルフリフレッシュ表示モードから退出すると、フレームバッファが停止され、ロジッククロックがゲートされるので、消費する電力が削減されうる。多様な実施形態において、ＳＲＤ＿ＯＮは、ホストからの信号とすることができ、または、レジスタに設定することができる。
【００１３】
図２は、ＬＶＤＳに準拠したインターフェースを用いてディスプレイ装置に周期的に送信される信号の例を示す。ＬＶＤＳに準拠したディスプレイインターフェースが設けられたＣＰＵもしくはチップセットは、色情報を伝達するよう設定された信号を用いてコマンドを送信することができる。ディスプレイ装置のタイミングコントローラもしくは関連する電子機器は、これらの信号を受信することができる。信号のフォーマットは、液晶パネルの標準化を進める装置メーカーの団体（ＰＳＷＧ）により２００３年３月１２日に策定されたモニタ用の業界標準パネル（ＩＳＰ）−１５．０インチ（ＩＳＰ１５インチ）用の搭載／トップレベルインターフェース要件（第１．１版）のセクション３．１．４に規定されたフォーマットとすることができるが、その他の仕様および規格を用いることもできる。
【００１４】
多様な実施形態において、垂直帰線消去期間または水平帰線消去期間の間は、色データ用に設定されたビットを用いて、その他の種類の情報もしくはコマンドを送信することができる。以下の表に、ディスプレイ上の位置への帰線を命令するべく使用できるコマンドを提示する。
【００１５】
【表１】
2013545156.tif 000003
【００１６】
上行のコマンドは、垂直帰線消去期間（ＶＢＩ）の開始を示して、スクリーンの左上の角に帰線することにより新しいフレームを開始することを指示するＶｓｙｎｃコマンドである。値「ｘ」は、０または１とすることができる値を示す。このコマンドは、水平または垂直帰線消去期間に送信することができる。
【００１７】
下行のコマンドは、スクリーンの左側に帰線することにより水平帰線消去期間を開始することを指示するＨｓｙｎｃコマンドである。このコマンドは、水平または垂直帰線消去期間に送信することができる。
【００１８】
いくつかの場合では、表１（および表２〜４）に示すビットＢ３、Ｂ２、Ｂ１、およびＢ０は、それぞれビットＧ０、Ｒ５、Ｂ１、およびＢ０とすることができる。ビットＧ０、Ｒ５、Ｂ１、Ｂ０は、図２に示す色情報を伝達するべく設定されたフィールドの左上の４つのビットである。その他の場合では、表１（および表２〜４）に示すビットＢ３、Ｂ２、Ｂ１、およびＢ０は、それぞれ、図２に示す色情報を伝達するべく設定されたビットＢ３、Ｂ２、Ｂ１、およびＢ０とすることができる。もちろん、任意の四（４）ビットを用いて、表１（および表２〜４）に示すビットＢ３、Ｂ２、Ｂ１、およびＢ０の情報を伝達することができる。８ビット以外の色、たとえば、６ビットの色を使用する場合、表１（および表２〜４）に示すビットＢ３、Ｂ２、Ｂ１、およびＢ０は、色データとして指定されたビットのいずれによって伝達してもよい。色フィールドは、８ビットから拡張して、たとえば、２４ビットとすることができるが、これに限定されない。色フィールドのビット数がより大きい場合は、より多くのコマンドもしくはコマンドの変形を使用することができる。
【００１９】
以下の表に、フレーム取得、セルフリフレッシュモードの開始、またはセルフリフレッシュモードからの退出を開始するべく使用することができるコマンドを提示する。
【００２０】
【表２】
2013545156.tif 000004
【００２１】
表２の上行のコマンドは、フレームバッファにフレームを取得するためのコマンドである。ＶＢＩ後から開始して、全フレームがフレームバッファに取得される。フレームバッファは、ディスプレイ装置に使用されるのと同じパッケージもしくは集積回路に、または、他の場所に設けることができるが、ディスプレイにフレームを供給することができる。たとえば、フレームバッファは、図１Ｃを参照して記載したものであってよい。この場合、信号Ｂ３〜Ｂ０は、値０００１である。コマンドは、水平または垂直帰線消去期間に送信することができる。
【００２２】
表２の中行のコマンドは、フレームバッファに記憶されたフレームを用いてセルフリフレッシュモードを開始するためのコマンドである。このコマンドによって、ディスプレイインターフェースの停止、または、低電力モードへの移行を実行することもできる。図１Ｂを参照して記載したコンポーネント等、その他のコンポーネントを停止させ、または、低電力使用モードに移行することができる。次の垂直帰線消去期間の後、フレームバッファに記憶された画像を用いて、ディスプレイのローカルリフレッシュを行う。たとえば、取得したフレームの開始点におけるＶＢＩをＶＢＩ１とすると、以後のＶＢＩ、つまりＶＢＩ２の後に、セルフリフレッシュモードに移行することができ、ＶＢＩ２は、ＶＢＩ１の後であってよいが、ＶＢＩ１とＶＢＩ２との間にはアクティブなフレームデータが１つ存在する。セルフリフレッシュへの移行は、ＶＢＩ２間もしくは後とすることができる。セルフリフレッシュの間は、グラフィックス処理ユニットもしくはグラフィックスエンジンによるアクティブデータのディスプレイへの送信は必要ではない。セルフリフレッシュモードへの移行の後、または、ほぼ同時に、ディスプレイインターフェースおよび図１Ｂを参照して記載したその他のロジックを停止させ、または、低電力使用モードに移行することができる。この場合、信号Ｂ３〜Ｂ０は、値００１０である。コマンドは、水平または垂直帰線消去期間に送信することができる。
【００２３】
表２の下行のコマンドは、セルフリフレッシュモードから退出して、ディスプレイインターフェースからの画素のストリーミングを再開するためのコマンドである。セルフリフレッシュモード退出コマンドを受信した後、ＶＢＩ２の後に来る垂直帰線消去期間ＶＢＩ３もしくはその周辺で、ディスプレイは、フレームバッファではなくディスプレイインターフェースからの映像の表示を開始する。さらに、ディスプレイインターフェースおよび図１Ｂを参照して記載したその他のロジックの電力を上げて、より高レベルの電力消費を許可する。チャネルカラーマッピング信号によって色データを送信することができる。この場合、信号Ｂ３〜Ｂ０は、値００００である。コマンドは、水平または垂直帰線消去期間に送信することができる。
【００２４】
表３に、フレームの部分的更新を開始して終了するために使用されるコマンドを提示する。
【００２５】
【表３】
2013545156.tif 000005
【００２６】
表３の上行のコマンドは、セルフリフレッシュモードにおいて、行Ｎ以降の数行分の画素に書き込むことにより、フレームの部分的更新を開始することを要求するためのコマンドである。行Ｎは、２値＜ｂ３  ｂ２  ｂ１  ｂ０＞により表され、色値Ｂ３〜Ｂ０もしくはその他のスロットにより送信される。したがって、ディスプレイは、セルフリフレッシュモードに留まりつつ、部分的に更新されたフレームを表示することができる。このコマンドは、水平または垂直帰線消去期間に送信することができる。このコマンドの後に送信される色データが、スクリーンの部分的更新である。色データは、水平帰線消去期間または垂直帰線消去期間の終了直後に送信することができる。
【００２７】
表３の下行のコマンドは、フレームの部分的更新を停止するためのコマンドである。このコマンドは、部分的アクティブリフレッシュモードのデータが以降は送信されないことを示す。このコマンドは、表３の上行のコマンドの後に続く。値Ｂ３〜Ｂ０は、値００００とすることができる。このコマンドは、セルフリフレッシュに移行した後、セルフリフレッシュモードから退出する前に使用される。コマンドは、水平または垂直帰線消去期間に送信することができる。
【００２８】
表４に、今後使用されるように確保しておくことができるコマンドを提示する。
【００２９】
【表４】
2013545156.tif 000006
【００３０】
このコマンドは、水平または垂直帰線消去期間に送信することができる。
【００３１】
たとえば、表４のコマンドは、スピーカがパネルにより制御される場合に、音声ストリームをＶＢＩに組み込んで送信することに関連して使用することができる。
【００３２】
いくつかのＴＣＯＮ設計では、フィールドＤＥを用いて、色フィールドの値（つまり、画素コンテンツ）が色データとして使用されることを示す。いくつかの場合、ＨｓｙｎｃおよびＶｓｙｎｃならびに色フィールドを用いて、コマンドを表すことができる。たとえば、ＤＥがゼロに設定される場合、ＨｓｙｎｃおよびＶｓｙｎｃならびに色フィールドを用いてコマンドを表すことができる。ＨｓｙｎｃおよびＶｓｙｎｃとともに、Ｒ０〜Ｒ５、Ｂ０〜Ｂ５、もしくはＧ０〜Ｇ５のうち任意の色フィールドを用いて、色フィールドのコマンドを表すことができる。
【００３３】
本明細書に記載されたグラフィックスおよび／または映像処理技術は、多様なハードウェアアーキテクチャで実装してよい。たとえば、グラフィックスおよび／または映像機能は、チップセット内に統合してよい。または、別個のグラフィックスおよび／または映像のプロセッサを使用してよい。さらに別の実施形態では、グラフィックスおよび／または映像機能は、マルチコアプロセッサを含む汎用プロセッサで実装してよい。さらなる実施形態では、これらの機能は、家庭用電化製品に実装してよい。
【００３４】
本発明の実施形態は、マザーボードを使用して相互接続される１つ以上のマイクロチップもしくは集積回路、ハードワイヤードロジック、メモリ装置に記憶されマイクロプロセッサにより実行されるソフトウェア、ファームウェア、特定用途向け集積回路（ＡＳＩＣ）、および／または、フィールドプログラマブルゲートアレイ（ＦＰＧＡ）のうちいずれか、または、これらの組み合わせにより実施してよい。「ロジック」という用語は、例を挙げると、ソフトウェアもしくはハードウェアおよび／またはソフトウェアおよびハードウェアの組み合わせを含みうる。
【００３５】
本発明の実施形態は、たとえば、コンピュータ、ネットワーク接続された複数のコンピュータ、またはその他の電子機器等により実行されると、１つ以上の機械に本発明の実施形態に係る動作を実行させうる機械実行可能命令を記憶した１つ以上の機械可読媒体を含むコンピュータプログラムプロダクトとして提供してよい。機械可読媒体は、フロッピー（登録商標）ディスケット、光ディスク、ＣＤ−ＲＯＭ（コンパクトディスク読み出し専用メモリ）、光磁気ディスク、ＲＯＭ（読み出し専用メモリ）、ＲＡＭ（ランダムアクセスメモリ）、ＥＰＲＯＭ（消去可能プログラム可能読み出し専用メモリ）、ＥＥＰＲＯＭ（電気的消去可能プログラム可能読み出し専用メモリ）、磁気もしくは光カード、フラッシュメモリ、または、機械実行可能命令を記憶するのに適したその他の種類の媒体／機械可読媒体であってよいが、これらに限定されない。
【００３６】
図面および上記の記載により、本発明の例を提示した。多数の全く異なる機能要素を示したが、これらの要素の１つ以上を一つの機能要素に組み合わせてよいことは当業者には理解されよう。または、所定の要素を複数の機能要素に分割してよい。一実施形態の要素を別の実施形態に付加してよい。たとえば、本明細書に記載した処理の順序は変更してよく、本明細書に記載した態様に限定されない。さらに、いずれのフロー図の動作も、図示の順序で実施する必要はなく、動作の全てを必ずしも実行する必要はない。また、他の動作に依存しない動作は、これら他の動作と並列に実行してよい。しかし、本発明の範囲は、これらの特定的な例によって一切限定されない。明細書に明記したか否かにかかわらず、数多くの変更、たとえば、構造、寸法、および材料の使用における変更が可能である。本発明の範囲は、以下の特許請求の範囲に規定される広さを少なくとも有する。
【図１Ａ】
2013545156.tif 000007
【図１Ｂ】
2013545156.tif 000008
【図１Ｃ】
2013545156.tif 000009
【図２】
2013545156.tif 000010
【国際調査報告】
2013545156.tif 000011
2013545156.tif 000012